(57)【要約】【課題】追随対象者を追随する際に、通過することにより走行異常が発生する可能性のある障害物を通過して追随対象者が進路を変更したような場合でも、走行異常を発生させることなく追随対象者の追随継続を可能とする。【解決手段】移動部５０は、自装置を移動させる。検出部４１は、周囲の物体との距離及びその形状を検出する。制御部４８は、移動部５０を制御することにより、自装置の進路を追随対象者の進路に合わせて変更する際に、追随対象者が進路を変更した場合であっても、追随対象者の進路と自装置の進路との間に通過することにより走行異常が発生する可能性のある障害物がある場合には、自装置の進路を変更することなく走行を継続するよう移動部５０を制御する。そして、制御部４８は、追随対象者の進路と自装置の進路との間に障害物がなくなった場合に、自装置の進路を追随対象者の進路に合わせるような進路変更を行うよう移動部５０を制御する。【選択図】図４
2020077144.tif 000002
【特許請求の範囲】
【請求項１】
自装置を移動させるための移動手段と、
周囲の物体との距離及びその形状を検出する検出手段と、
前記移動手段を制御することにより、自装置の進路を追随対象者の進路に合わせて変更する際に、追随対象者が進路を変更した場合であっても、追随対象者の進路と自装置の進路との間に通過することにより走行異常が発生する可能性のある障害物がある場合には、自装置の進路を変更することなく走行を継続し、追随対象者の進路と自装置の進路との間に前記障害物がなくなった場合に、自装置の進路を追随対象者の進路に合わせるような進路変更を行うよう前記移動手段を制御する制御手段と、
を備えた自律移動装置。
【請求項２】
周囲の画像を撮像する撮像手段と、
前記撮像手段により撮像された画像に対して画像処理を行うことにより前記追随対象者の状態を取得する取得手段とをさらに備え、
前記制御手段は、前記取得手段により取得された前記追随対象者の状態が予め定められた特定の状態の場合には、追随対象者の進路と自装置の進路との間に前記障害物がなくなった場合でも、自装置の進路を追随対象者の進路に合わせるような進路変更を行わないよう前記移動手段を制御する請求項１記載の自律移動装置。
【請求項３】
前記制御手段は、自装置の進路を追随対象者の進路に合わせるような進路変更を開始する前に、前記追随対象者の状態が予め定められた特定の状態の場合には、進路変更を行わずに現在の進路を維持するよう前記移動手段を制御する請求項２記載の自律移動装置。
【請求項４】
前記制御手段は、自装置の進路を追随対象者の進路に合わせるような進路変更を開始した後であっても、前記追随対象者の状態が予め定められた特定の状態の場合には、進路変更を中止して進路変更前の進路を維持するよう前記移動手段を制御する請求項２記載の自律移動装置。
【請求項５】
前記制御手段は、追随対象者が進路変更を行う前の予め設定された期間内に、前記追随対象者の状態が予め定められた特定の状態であった場合には、追随対象者が進路変更を行った場合でも、自装置の進路を追随対象者の進路に合わせるような進路変更を行わないよう前記移動手段を制御する請求項２記載の自律移動装置。
【請求項６】
前記制御手段は、追随対象者が進路変更を行った後の予め設定された期間内に、前記追随対象者の状態が予め定められた特定の状態となった場合には、自装置の進路変更を行う前の場合であれば進路変更を行わずに現在の進路を維持し、自装置の進路変更を行った後であれば、進路変更後の進路を維持するよう前記移動手段を制御する請求項２記載の自律移動装置。
【請求項７】
前記予め定められた追随対象者の状態が、当該追随対象者の手により特定の動作が行われている状態である請求項２から６のいずれか記載の自律移動装置。
【請求項８】
自装置の進路を追随対象者の進路に合わせて変更することができずに、自装置と前記追随対象者とが並走状態となっている場合に、並走状態となっていること示す音又は光を発生する発生手段をさらに備えた請求項１記載の自律移動装置。
【請求項９】
周囲の騒音レベルを検知する音検知手段をさらに備え、
前記発生手段は、前記音検知手段により検知された騒音レベルに応じて決定される音量により、並走状態となっていることを示す音を発生する請求項８記載の自律移動装置。
【請求項１０】
周囲の照度を検知する照度検知手段をさらに備え、
前記発生手段は、前記照度検知手段により検知された照度に応じて決定される輝度により、並走状態となっていることを示す光を発生する請求項８記載の自律移動装置。
【請求項１１】
前記制御手段は、追随対象者との距離が予め設定された追随可能距離以上となった場合、当該追随対象者を追随する走行を停止するような制御を行う際に、自装置の進路と追随対象者の進路とが一致している場合の追随可能距離よりも、自装置の進路を追随対象者の進路に合わせて変更することができずに前記追随対象者と並走状態となっている場合の追随可能距離が長くなるように設定する請求項１記載の自律移動装置。
【請求項１２】
前記制御手段は、前記追随対象者と並走状態となっている場合の追随可能距離を、自装置が走行中の歩道の幅を基準として算出する請求項１１記載の自律移動装置。
【請求項１３】
前記制御手段は、前記障害物が予め設定された高さ又は幅以上であるか否かに応じて、自装置の進路を追随対象者の進路に合わせるような進路変更を行うか否かを切り替えるよう前記移動手段を制御する請求項１から１２のいずれか記載の自律移動装置。
【請求項１４】
前記制御手段は、前記障害物が予め設定された高さ又は幅以上である場合に、自装置の進路を追随対象者の進路に合わせるような進路変更を行わないよう前記移動手段を制御する請求項１３記載の自律移動装置。
【請求項１５】
自装置を移動させるための移動手段を制御することにより、自装置の進路を追随対象者の進路に合わせて変更する際に、追随対象者が進路を変更した場合であっても、追随対象者の進路と自装置の進路との間に通過することにより走行異常が発生する可能性のある障害物がある場合には、自装置の進路を変更することなく走行を継続するステップと、
追随対象者の進路と自装置の進路との間に前記障害物がなくなった場合に、自装置の進路を追随対象者の進路に合わせるような進路変更を行うステップと、
をコンピュータに実行させるためのプログラム。
【発明の詳細な説明】
【技術分野】
【０００１】
本発明は、自律移動装置およびプログラムに関する。
【背景技術】
【０００２】
特許文献１には、高速での追従走行が可能でかつ先導車の走行軌跡に対して追従精度の高い縦列での隊列走行を実現することを目的とした自動追従走行システムが開示されている。
【先行技術文献】
【特許文献】
【０００３】
【特許文献１】特開２０００−１１３３９９号公報
【発明の概要】
【発明が解決しようとする課題】
【０００４】
本発明の目的は、自装置の進路を追随対象者の進路に合わせて変更することにより追随対象者を追随する際に、通過することにより走行異常が発生する可能性のある障害物を通過して追随対象者が進路を変更したような場合でも、走行異常を発生させることなく追随対象者の追随を継続することが可能な自律移動装置およびプログラムを提供することである。
【課題を解決するための手段】
【０００５】
［自律移動装置］
請求項１に係る本発明は、
自装置を移動させるための移動手段と、
周囲の物体との距離及びその形状を検出する検出手段と、
前記移動手段を制御することにより、自装置の進路を追随対象者の進路に合わせて変更する際に、追随対象者が進路を変更した場合であっても、追随対象者の進路と自装置の進路との間に通過することにより走行異常が発生する可能性のある障害物がある場合には、自装置の進路を変更することなく走行を継続し、追随対象者の進路と自装置の進路との間に前記障害物がなくなった場合に、自装置の進路を追随対象者の進路に合わせるような進路変更を行うよう前記移動手段を制御する制御手段とを備えた自律移動装置である。
【０００６】
請求項２に係る本発明は、周囲の画像を撮像する撮像手段と、
前記撮像手段により撮像された画像に対して画像処理を行うことにより前記追随対象者の状態を取得する取得手段とをさらに備え、
前記制御手段は、前記取得手段により取得された前記追随対象者の状態が予め定められた特定の状態の場合には、追随対象者の進路と自装置の進路との間に前記障害物がなくなった場合でも、自装置の進路を追随対象者の進路に合わせるような進路変更を行わないよう前記移動手段を制御する請求項１記載の自律移動装置である。
【０００７】
請求項３に係る本発明は、前記制御手段が、自装置の進路を追随対象者の進路に合わせるような進路変更を開始する前に、前記追随対象者の状態が予め定められた特定の状態の場合には、進路変更を行わずに現在の進路を維持するよう前記移動手段を制御する請求項２記載の自律移動装置である。
【０００８】
請求項４に係る本発明は、前記制御手段が、自装置の進路を追随対象者の進路に合わせるような進路変更を開始した後であっても、前記追随対象者の状態が予め定められた特定の状態の場合には、進路変更を中止して進路変更前の進路を維持するよう前記移動手段を制御する請求項２記載の自律移動装置である。
【０００９】
請求項５に係る本発明は、前記制御手段が、追随対象者が進路変更を行う前の予め設定された期間内に、前記追随対象者の状態が予め定められた特定の状態であった場合には、追随対象者が進路変更を行った場合でも、自装置の進路を追随対象者の進路に合わせるような進路変更を行わないよう前記移動手段を制御する請求項２記載の自律移動装置である。
【００１０】
請求項６に係る本発明は、前記制御手段が、追随対象者が進路変更を行った後の予め設定された期間内に、前記追随対象者の状態が予め定められた特定の状態となった場合には、自装置の進路変更を行う前の場合であれば進路変更を行わずに現在の進路を維持し、自装置の進路変更を行った後であれば、進路変更後の進路を維持するよう前記移動手段を制御する請求項２記載の自律移動装置である。
【００１１】
請求項７に係る本発明は、前記予め定められた追随対象者の状態が、当該追随対象者の手により特定の動作が行われている状態である請求項２から６のいずれか記載の自律移動装置である。
【００１２】
請求項８に係る本発明は、自装置の進路を追随対象者の進路に合わせて変更することができずに、自装置と前記追随対象者とが並走状態となっている場合に、並走状態となっていること示す音又は光を発生する発生手段をさらに備えた請求項１記載の自律移動装置である。
【００１３】
請求項９に係る本発明は、周囲の騒音レベルを検知する音検知手段をさらに備え、
前記発生手段は、前記音検知手段により検知された騒音レベルに応じて決定される音量により、並走状態となっていることを示す音を発生する請求項８記載の自律移動装置である。
【００１４】
請求項１０に係る本発明は、周囲の照度を検知する照度検知手段をさらに備え、
前記発生手段は、前記照度検知手段により検知された照度に応じて決定される輝度により、並走状態となっていることを示す光を発生する請求項８記載の自律移動装置である。
【００１５】
請求項１１に係る本発明は、前記制御手段が、追随対象者との距離が予め設定された追随可能距離以上となった場合、当該追随対象者を追随する走行を停止するような制御を行う際に、自装置の進路と追随対象者の進路とが一致している場合の追随可能距離よりも、自装置の進路を追随対象者の進路に合わせて変更することができずに前記追随対象者と並走状態となっている場合の追随可能距離が長くなるように設定する請求項１記載の自律移動装置である。
【００１６】
請求項１２に係る本発明は、前記制御手段は、前記追随対象者と並走状態となっている場合の追随可能距離を、自装置が走行中の歩道の幅を基準として算出する請求項１１記載の自律移動装置である。
【００１７】
請求項１３に係る本発明は、前記制御手段が、前記障害物が予め設定された高さ又は幅以上であるか否かに応じて、自装置の進路を追随対象者の進路に合わせるような進路変更を行うか否かを切り替えるよう前記移動手段を制御する請求項１から１２のいずれか記載の自律移動装置である。
【００１８】
請求項１４に係る本発明は、前記制御手段が、前記障害物が予め設定された高さ又は幅以上である場合に、自装置の進路を追随対象者の進路に合わせるような進路変更を行わないよう前記移動手段を制御する請求項１３記載の自律移動装置である。
【００１９】
［プログラム］
請求項１５に係る本発明は、自装置を移動させるための移動手段を制御することにより、自装置の進路を追随対象者の進路に合わせて変更する際に、追随対象者が進路を変更した場合であっても、追随対象者の進路と自装置の進路との間に通過することにより走行異常が発生する可能性のある障害物がある場合には、自装置の進路を変更することなく走行を継続するステップと、
追随対象者の進路と自装置の進路との間に前記障害物がなくなった場合に、自装置の進路を追随対象者の進路に合わせるような進路変更を行うステップとをコンピュータに実行させるためのプログラムである。
【発明の効果】
【００２０】
請求項１に係る本発明によれば、自装置の進路を追随対象者の進路に合わせて変更することにより追随対象者を追随する際に、通過することにより走行異常が発生する可能性のある障害物を通過して追随対象者が進路を変更したような場合でも、走行異常を発生させることなく追随対象者の追随を継続することが可能な自律移動装置を提供することができる。
【００２１】
請求項２に係る本発明によれば、追随対象者の特定の動作に応じて進路変更を行わないようにすることが可能な自律移動装置を提供することができる。
【００２２】
請求項３に係る本発明によれば、進路変更の開始前の追随対象者の特定の動作に応じて進路変更を行わないようにすることが可能な自律移動装置を提供することができる。
【００２３】
請求項４に係る本発明によれば、進路変更の開始後であっても、追随対象者の特定の動作に応じて実行中の進路変更を中止して元の進路を維持するようにすることが可能な自律移動装置を提供することができる。
【００２４】
請求項５に係る本発明によれば、追随対象者が進路変更を行う前の予め設定された期間内における追随対象者の特定の動作に応じて進路変更を行わないようにすることが可能な自律移動装置を提供することができる。
【００２５】
請求項６に係る本発明によれば、追随対象者が進路変更を行った後の設定された期間内における追随対象者の特定の動作に応じて、現在の進路を維持するようにすることが可能な自律移動装置を提供することができる。
【００２６】
請求項７に係る本発明によれば、追随対象者の手の特定の動作に応じて進路変更を行わないようにすることが可能な自律移動装置を提供することができる。
【００２７】
請求項８に係る本発明によれば、並走状態となっていることを追随対象者に把握させることが可能な自律移動装置を提供することができる。
【００２８】
請求項９に係る本発明によれば、周囲の騒音レベルが大きい場合でも、並走状態となっていることを追随対象者に把握させることが可能な自律移動装置を提供することができる。
【００２９】
請求項１０に係る本発明によれば、周囲の照度が高い場合でも、並走状態となっていることを追随対象者に把握させることが可能な自律移動装置を提供することができる。
【００３０】
請求項１１に係る本発明によれば、並走状態となったことにより追随対象者の追随を中止してしまうことを防ぐことが可能な自律移動装置を提供することができる。
【００３１】
請求項１２に係る本発明によれば、幅の広い歩道を走行中に並走状態となった場合に、追随対象者の追随を中止してしまうことを防ぐことが可能な自律移動装置を提供することができる。
【００３２】
請求項１３に係る本発明によれば、自装置の進路を追随対象者の進路に合わせて変更することにより追随対象者を追随する際に、予め設定された高さ又は幅以上の障害物を通過して追随対象者が進路を変更したような場合でも、走行異常を発生させることなく追随対象者の追随を継続することが可能な自律移動装置を提供することができる。
【００３３】
請求項１４に係る本発明によれば、自装置の進路を追随対象者の進路に合わせて変更することにより追随対象者を追随する際に、予め設定された高さ又は幅以上の障害物を通過して追随対象者が進路を変更したような場合でも、走行異常を発生させることなく追随対象者の追随を継続することが可能な自律移動装置を提供することができる。
【００３４】
請求項１５に係る本発明によれば、自装置の進路を追随対象者の進路に合わせて変更することにより追随対象者を追随する際に、通過することにより走行異常が発生する可能性のある障害物を通過して追随対象者が進路を変更したような場合でも、走行異常を発生させることなく追随対象者の追随を継続することが可能なプログラムを提供することができる。
【図面の簡単な説明】
【００３５】
【図１】本発明の一実施形態の自律移動装置１０を用いたシステムの構成を示す図である。
【図２】本発明の一実施形態の自律移動装置１０の外観を示す斜視図である。
【図３】本発明の一実施形態の自律移動装置１０のハードウェア構成を示すブロック図である。
【図４】本発明の一実施形態の自律移動装置１０の機能構成を示すブロック図である。
【図５】自律移動装置１０が後追モードにて追随対象者１の後にて走行している場合の様子を説明するための図である。
【図６】追随対象者１との間の歩道の段差等の障害物の有無およびその高さを検出する様子を説明するための図である。
【図７】本発明の一実施形態の自律移動装置１０の動作を説明するためのフローチャートである。
【図８】自律移動装置１０が後追モードにて歩道上を歩いている追随対象者１の後ろを走行している際に、追随対象者１が段差を跨いで車道に降りた場合の動作例を説明するための図である。
【図９】自律移動装置１０が後追モードにて歩道上を歩いている追随対象者１の後ろを走行している際に、追随対象者１が段差を跨いで車道に降りた場合の動作例を説明するための図である。
【図１０】自律移動装置１０が追随対象者１の後を追いかけて歩道の段差を通過した場合の様子を説明するための図である。
【図１１】自律移動装置１０が後追モードにて歩道上を歩いている追随対象者１の後ろを走行している際に、追随対象者１が段差を跨いで車道に降りた場合の動作例を説明するための図である。
【図１２】自律移動装置１０が後追モードにて歩道上を歩いている追随対象者１の後ろを走行している際に、追随対象者１が段差を跨いで車道に降りた場合の動作例を説明するための図である。
【図１３】自律移動装置１０が後追モードにて歩道上を歩いている追随対象者１の後ろを走行している際に、追随対象者１が段差を跨いで車道に降りた場合の動作例を説明するための図である。
【図１４】追随対象者１が特定の動作を実行中または特定の状態で進路変更を行った場合の自律移動装置１０の動作を説明するためのフローチャートである。
【図１５】自律移動装置１０が後追モードにて歩道上を歩いている追随対象者１の後ろを走行している際に、特定の状態の追随対象者１が段差を跨いで車道に降りた場合の動作例を説明するための図である。
【図１６】自律移動装置１０が後追モードにて歩道上を歩いている追随対象者１の後ろを走行している際に、特定の状態の追随対象者１が段差を跨いで車道に降りた場合の動作例を説明するための図である。
【図１７】自律移動装置１０が後追モードにて歩道上を歩いている追随対象者１の後ろを走行している際に、特定の状態の追随対象者１が段差を跨いで車道に降りた場合の動作例を説明するための図である。
【図１８】自律移動装置１０が後追モードにて歩道上を歩いている追随対象者１の後ろを走行している際に、特定の状態の追随対象者１が段差を跨いで車道に降りた場合の動作例を説明するための図である。
【図１９】自律移動装置１０が並走状態となっていることを追随対象者１に通知する場合の動作について説明するための図である。
【図２０】音声・光発生部４３により行われる音声出力の制御例を説明するためのフローチャートである。
【図２１】音声・光発生部４３により行われるＬＥＤランプの点灯制御例を説明するためのフローチャートである。
【図２２】自律移動装置１０が走行停止状態となった場合の動作を説明するためのフローチャートである。
【図２３】走行停止状態となった自律移動装置１０が集配センターに回収される様子を説明するための図である。
【図２４】並走状態の場合における追随可能距離を歩道の幅に基づいて算出する場合の一例を説明するための図である。
【図２５】自律移動装置１０が先行モードにて追随対象者１の前において走行している場合の様子を説明するための図である。
【発明を実施するための形態】
【００３６】
次に、本発明の実施の形態について図面を参照して詳細に説明する。
【００３７】
図１は、本発明の一実施形態の自律移動装置１０を用いたシステムの構成を示す図である。
【００３８】
本発明の一実施形態の自律移動装置１０を用いたシステムは、図１に示されるように、自律移動装置１０と、この自律移動装置１０を遠隔操作するための遠隔操作センターに設置されたサーバ１２とから構成されている。
【００３９】
そして、自律移動装置１０とサーバ１２とは、例えば携帯電話通信網１４、インターネット１５を経由して相互に接続されている。
【００４０】
自律移動装置１０は、携帯電話通信網１４との間でデータ等を送受信するように構成されている。また、自律移動装置１０は、自装置を移動させるための移動手段を有し、この移動手段により、追随する対象とする人である追随対象者１の動作に追随して自律的に移動することができるような構成となっている。ここで、追随とは、追随対象として認識した追随対象者１の動きに応じて、追随対象者１に先行して又は後追いして自律移動することを意味する。
【００４１】
具体的には、自律移動装置１０は、追随対象者１の手、足等の動きを検出し、追随対象者１の後ろから後追いして移動する後追いモード、追随対象者１の前に先行して移動する先行モード、移動を停止する停止モードのいずれかの動作モードにより動作することが可能に構成されている。
【００４２】
ここで、後追モードとは、先行する追随対象者の後を追随するよう走行する動作モードである。そして、先行モードとは、自律移動装置１０が追随対象者に先行して走行する動作モードである。
【００４３】
そして、自律移動装置１０には、後追モードボタン、先行モードボタン、停止ボタンが設けられており、ユーザはこれらのボタンを操作することにより自律移動装置１０の動作モードを切り替えることができるようになっている。
【００４４】
なお、本実施形態では、自律移動装置１０は、荷台部を備え、この荷台部に荷箱等の荷物を積載して、荷物を集荷、配達する配達員等の追随対象者１に先行して又は後追いして移動又は停止する例を用いて説明する。
【００４５】
次に、自律移動装置１０の構成を説明する。図２は、自律移動装置１０の外観を示す斜視図である。
【００４６】
自律移動装置１０は、装置本体部１６、荷台部１７、装置本体部１６を移動させるための移動機構１８、撮像手段としてのカメラ１９、検出手段としてのセンサ２０、ＬＥＤランプ２１、スピーカ２２を備えている。
【００４７】
荷台部１７は、装置本体部１６の上部に設けられており、荷箱等の荷物を積載する。
【００４８】
カメラ１９は、周囲の画像、特に、追随対象者の足元の画像を撮像する。カメラ１９は、装置本体部１６の前面及び後面の２ヶ所に設けられている。
【００４９】
センサ２０は、装置本体部１６と荷台部１７の間に設けられており、自装置の周囲３６０度に位置する物体との距離及びその形状を検出する。具体的には、センサ２０は、レーザ光により物体との距離を検出するレーザレンジファインダ（レーザ距離センサ）等により構成され、ＬＩＤＡＲ（Laser Imaging Detection and Ranging）と呼ばれる技術により自装置の周囲に位置する物体との距離及びその形状を検出する。
【００５０】
ＬＥＤランプ２１は、装置本体部１６の前面及び後面の２ヶ所に設けれ、光を発することにより追随対象者に何らかの情報を通知する。また、スピーカ２２は、装置本体部１６の左右両面の２ヶ所に設けれ、音声を発することにより追随対象者に何らかの情報を通知する。
【００５１】
移動機構１８は、装置本体部１６の下部に設けられており、カメラ１９やセンサ２０により検出された追随対象者１の動作に追随して自装置を移動させる。移動機構１８としては、具体的には、車輪や、車輪を駆動する駆動源としてのモータや、操舵輪の舵角やブレーキ等を制御するためのアクチュエータ、油圧ポンプ等により構成されている。
【００５２】
図３は、自律移動装置１０のハードウェア構成を示すブロック図である。
【００５３】
自律移動装置１０は、図３に示されるように、ＣＰＵ３１、メモリ３２、記憶装置３３、無線通信部３４、移動機構１８、カメラ１９、センサ２０、ＬＥＤランプ２１、スピーカ２２を有し、これらが制御バス３５を介して接続されている。
【００５４】
ＣＰＵ３１は、メモリ３２または記憶装置３３に格納された制御プログラムに基づいて所定の処理を実行して、自律移動装置１０の動作を制御する。無線通信部３４は、携帯電話通信網１４との間で無線回線を介してデータの送受信を行っている。なお、本実施形態では、ＣＰＵ３１は、メモリ３２または記憶装置３３内に格納された制御プログラムを読み出して実行するものとして説明するが、当該プログラムをＣＤ−ＲＯＭ等の記憶媒体に格納してＣＰＵ３１に提供することも可能である。
【００５５】
なお、センサ２０には、上述したレーザレンジファインダだけでなく、周囲の音を検知する音センサや、周囲の照度を検知する照度センサ等が含まれる。
【００５６】
図４は、上記の制御プログラムが実行されることにより実現される自律移動装置１０の機能構成を示すブロック図である。
【００５７】
本実施形態の自律移動装置１０は、図４に示されるように、検出部４１と、撮像部４２と、音声・光発生部４３と、データ記憶部４４と、画像処理部４５と、照度検知部４６と、音検知部４７と、制御部４８と、データ送受信部４９と、移動部５０を備えている。
【００５８】
データ送受信部４９は、制御部４８による制御に基づいて、サーバ１２との間でデータの送受信を行う。
【００５９】
検出部４１は、周囲の物体との距離及びその形状を検出する。具体的には、検出部４１は、追随対象者１の足元を含む、周囲の地面付近の物体との距離及び形状を検出する。
【００６０】
例えば、図５(Ａ)に示すように、自律移動装置１０が後追モードにて追随対象者１の後にて走行している場合、検出部４１は、図５(Ｂ)に示すように、追随対象者１の足元との距離や形状を検出する。
【００６１】
そして、追随対象者１との間に歩道の段差等の障害物がある場合、図６に示すように、検出部４１は、この段差の有無およびその高さを検出することができる。
【００６２】
移動部５０は、自装置を移動させるための移動手段であり、制御部４８による制御に基づいて、検出部３２により検出された追随対象者１の動作に追随して自装置を移動させる。
【００６３】
データ記憶部４４は、制御部４８による制御に基づいて、自装置の移動制御を行うための各種データを記憶する。
【００６４】
制御部４８は、移動部５０を制御することにより、自装置の進路を追随対象者の進路に合わせて変更する際に、追随対象者が進路を変更した場合であっても、追随対象者の進路と自装置の進路との間に通過することにより走行異常が発生する可能性のある障害物がある場合には、自装置の進路を変更することなく走行を継続するよう移動部５０を制御する。そして、制御部４８は、追随対象者の進路と自装置の進路との間に障害物がなくなった場合に、自装置の進路を追随対象者の進路に合わせるような進路変更を行うよう移動部５０を制御する。
【００６５】
ここで、通過することにより走行異常が発生する可能性のある障害物とは、予め設定された高さ又は幅以上である障害物である。つまり、制御部４８は、障害物が予め設定された高さ又は幅以上であるか否かに応じて、自装置の進路を追随対象者の進路に合わせるような進路変更を行うか否かを切り替えるよう移動部５０を制御する。
【００６６】
ここで、予め設定された高さ以上の障害物とは、例えば１０ｃｍ以上の段差であり、予め設定された幅以上の障害物とは、例えば幅２０ｃｍ以上の窪みや穴のように、自律移動装置１０が通過すると転倒や走行不能等の何らかの走行異常が発生する可能性があるような障害物である。なお、この障害物として判定する高さや幅等の値は、移動部５０における車輪の径、自律移動装置１０の最低地上高等の値に基づいて決定される値である。
【００６７】
そして、制御部４８は、障害物が予め設定された高さ又は幅以上である場合に、自装置の進路を追随対象者の進路に合わせるような進路変更を行わないよう移動部５０を制御する。
【００６８】
なお、本実施形態では、通過することにより走行異常が発生する可能性のある障害物の一例として、予め設定された高さ以上の段差（以下、単に段差と称する。）を用いて説明するが、本発明はこのような場合に限定されるものではなく、予め設定された幅以上の溝や、予め設定された直径以上の穴や、予め設定された高さ以上の突起物等が障害物である場合にも同様に適用することができるものである。
【００６９】
撮像部４２は、自装置の周囲の画像を撮像する。画像処理部４５は、撮像部４２により撮像された画像に対して画像処理を行うことにより追随対象者の状態を取得する。
【００７０】
そして、制御部４８は、画像処理部４５により取得された追随対象者の状態が予め定められた特定の状態の場合には、追随対象者の進路と自装置の進路との間に、段差がなくなった場合でも、自装置の進路を追随対象者の進路に合わせるような進路変更を行わないよう移動部５０を制御する。
【００７１】
つまり、制御部４８は、自装置の進路を追随対象者の進路に合わせるような進路変更を開始する前に、追随対象者の状態が予め定められた特定の状態の場合には、進路変更を行わずに現在の進路を維持するよう移動部５０を制御する。
【００７２】
そして、制御部４８は、自装置の進路を追随対象者の進路に合わせるような進路変更を開始した後であっても、追随対象者の状態が予め定められた特定の状態の場合には、進路変更を中止して進路変更前の進路を維持するよう移動部５０を制御するようにしても良い。
【００７３】
さらに、制御部４８は、追随対象者が進路変更を行う前の予め設定された期間内、例えば、進路変更を行う前の５秒間に、追随対象者の状態が予め定められた特定の状態であった場合には、追随対象者が進路変更を行った場合でも、自装置の進路を追随対象者の進路に合わせるような進路変更を行わないよう移動部５０を制御するようにしても良い。
【００７４】
さらに、制御部４８は、追随対象者が進路変更を行った後の予め設定された期間内、例えば、進路変更を行った後の５秒間に、追随対象者の状態が予め定められた特定の状態となった場合には、自装置の進路変更を行う前の場合であれば進路変更を行わずに現在の進路を維持し、自装置の進路変更を行った後であれば、進路変更後の進路を維持するよう移動部５０を制御するようにしても良い。
【００７５】
ここで、本実施形態における、予め定められた追随対象者の状態とは、例えば、追随対象者の手により特定の動作が行われている状態である。追随対象者の手により特定の動作が行われている状態とは、一例としては、追随対象者が右手を上に挙げている状態である。また、予め定められた追随対象者の状態とは、例えば、追随対象者が通常とは逆方向で帽子を頭に装着しているような状態である。
【００７６】
追随対象者は、自律移動装置１０に先行して歩行している際に、進路変更を行った場合、直ぐに元の進路に戻る予定であるため、自律移動装置１０には進路変更をして欲しくないような場合、このような特定の動作や特定の状態となることにより、自律移動装置１０の進路変更を防止することが可能となる。
【００７７】
照度検知部４６は、自装置の周囲の照度を検知する。また、音検知部４７は、自装置の周囲の騒音レベルを検知する。
【００７８】
そして、音声・光発生部４３は、自装置の進路を追随対象者１の進路に合わせて変更することができずに、自装置と追随対象者１とが並走状態となっている場合に、並走状態となっていること示す音又は光を発生する。
【００７９】
具体的には、音声・光発生部４３は、音検知部４７により検知された騒音レベルに応じて決定される音量により、並走状態となっていることを示す音を発生する。また、音声・光発生部４３は、照度検知部４６により検知された照度に応じて決定される輝度により、並走状態となっていることを示す光を発生する。
【００８０】
上記のような制御が行われることにより、自律移動装置１０は、追随対象者が段差等の障害物を跨いで進路を変更したような場合、自装置の進路を変更しない場合がある。すると、自律移動装置１０と追随対象者とが並走状態となる場合がある。そこで、上述したような音声・光発生部４３により、音声または光を発生させて追随対象者に並走状態となっていることを認識されるようなことが必要となる。しかし、周囲の騒音レベルが大きい場合、一定の出力レベルで音声を出力したとしても追随対象者に音声が届かない場合がある。また、周囲の照度が明るい場合、一定の輝度で光を発生したとしても追随対象者が気付かない場合がある。
【００８１】
そのため、例えば、音声・光発生部４３は、音検知部４７により検知された騒音レベルが予め設定された値よりも大きい場合には、その騒音レベルよりも大きな音量、例えば検知された騒音レベルを１．１倍した音量により、並走状態となっていることを示す音を発生する。また、音声・光発生部４３は、照度検知部４６により検知された照度が予め設定された値よりも大きい場合には、その輝度よりも明るい輝度により、並走状態となっていることを示す光を発生する。
【００８２】
なお、トンネル内等のように周囲の照度が予め設定された値よりも低くて暗い場合には、追随対象者は自律移動装置１０を視認することができなくなる。そのため、音声・光発生部４３は、照度検知部４６により検知された照度が予め設定された値以上の場合には、並走状態となっていることを追随対象者には通知しないが、検知された照度が予め設定された値よりも小さい場合には、並走状態となっていることを追随対象者に通知するようにしても良い。
【００８３】
ここで、制御部４８は、追随対象者との距離が予め設定された追随可能距離以上となった場合、その追随対象者を追随する走行を停止するような制御を行っている。例えば、制御部４８は、追随対象者との距離が１ｍ以上となった場合、その追随対象者を追随することは困難であると判定して、走行を停止するような制御を行っている。
【００８４】
しかし、上記のような制御が行われることにより自律移動装置１０と追随対象者とが並走状態となった場合、自律移動装置１０と追随対象者との距離は通常の状態よりも長くなる。そのため、上記のような通常の状態における追随可能距離を並走状態においてもそのまま使用したのでは、まだ追随動作を継続することが可能な場合でも自律移動装置１０が停止してしまう可能性がある。
【００８５】
そのため、制御部４８は、追随対象者との距離が予め設定された追随可能距離以上となった場合、追随対象者を追随する走行を停止するような制御を行う際に、自装置の進路と追随対象者の進路とが一致している場合の追随可能距離よりも、自装置の進路を追随対象者の進路に合わせて変更することができずに追随対象者と並走状態となっている場合の追随可能距離が長くなるように設定する。
【００８６】
具体的には、制御部４８は、追随対象者と並走状態となっている場合の追随可能距離を、自装置が走行中の歩道の幅を基準として算出する。例えば、制御部４８は、自装置が走行中の歩道の幅の３倍の距離を、追随対象者と並走状態となっている場合の追随可能距離として算出する。
【００８７】
なお、制御部４８は、通常の状態における追随可能距離に予め設定された数を状態した値を、追随対象者と並走状態となっている場合の追随可能距離として算出するようにしても良い。例えば、制御部４８は、通常の状態における追随可能距離である１ｍを３倍として、追随対象者と並走状態となっている場合の追随可能距離を３ｍと算出するようにしても良い。
【００８８】
次に、本実施形態の自律移動装置１０の動作について詳細に説明する。
【００８９】
先ず、本実施形態の自律移動装置１０の動作を図７のフローチャートを参照して説明する。
【００９０】
自律移動装置１０を用いて運搬しようとするユーザが、自律移動装置１０に設けられた後追モードボタンを押下すると、検出部４１により検出されたユーザが追随対象者として認識される（ステップＳ１０１）。
【００９１】
そして、制御部４８が移動部５０を制御することにより、自律移動装置１０は、認識した追随対象者を後追モードについて追随する動作を開始する（ステップＳ１０２）。
【００９２】
ここで、追随対象者が進路変更しなければ（ステップＳ１０３においてｎｏ）、自律移動装置１０は、追随対象者の後ろについて走行を行う後追モードにて移動を継続する（ステップＳ１０２）。
【００９３】
そして、追随対象者が進路変更した場合（ステップＳ１０３においてｙｅｓ）、制御部４８は、検出部４１により検出された周囲の形状等の情報に基づいて、追随対象者と自装置との間に所定の高さ以上の段差があるか否かを判定する（ステップＳ１０４）。
【００９４】
そして、そのような段差が存在しない場合（ステップＳ１０４においてｎｏ）、制御部４８は、追随対象者の進路と一致するように自装置の進路を変更する（ステップＳ１０６）。そして、制御部４８は、追随対象者の追随を継続するよう移動部５０の制御を継続する（ステップＳ１０２）。
【００９５】
ここで、追随対象者と自装置との間に段差が存在する場合（ステップＳ１０４においてｙｅｓ）、制御部４８は、自装置の進路変更を行わずに現在の進路を維持する。そのため、結果として自律移動装置１０は追随対象者と並走状態となる（ステップＳ１０５）。
【００９６】
そして、このような並走状態において走行継続中に、追随対象者と自装置との間に段差が存在しなくなった場合（ステップＳ１０４においてｎｏ）、制御部４８は、追随対象者の進路と一致するように自装置の進路を変更する（ステップＳ１０６）。そして、制御部４８は、追随対象者の追随を継続するよう移動部５０の制御を継続する（ステップＳ１０２）。
【００９７】
次に、図８〜図１３を参照して、自律移動装置１０が後追モードにて歩道上を歩いている追随対象者１の後ろを走行している際に、追随対象者１が段差を跨いで車道に降りた場合の動作例について説明する。
【００９８】
先ず、自律移動装置１０が歩道上を歩いている追随対象者１の後ろを走行している様子を図８に示す。図８では、自律移動装置１０及び追随対象者１はともに歩道上を移動している。
【００９９】
そして、このような状態において追随対象者１が車道に降りた場合の様子を図９に示す。図９では、追随対象者１が、歩道と車道との間における段差を跨いて歩道から車道に移動して進路変更を行った場合が示されている。
【０１００】
仮に、ここで自律移動装置１０が追随対象者１の後を追いかけて歩道の段差を通過した場合、図１０に示すように、搭載した荷物が落下したり、転倒してしまったり、あるいは自律移動装置１０の底部が段差に接触して走行不能になる等の何らかの走行異常が発生する可能性がある。
【０１０１】
そこで、本実施形態の自律移動装置１０では、追随対象者１との間に予め設定された高さ、例えば１０ｃｍ以上の高さの段差があることが検出部４１により検出された場合、その段差を通過して追随対象者１の後ろに付くような進路変更を行わないような制御が行われる。
【０１０２】
その結果、図１１に示すように、自律移動装置１０は、歩道上においてそのままの進路を維持して走行することにより、自律緯度装置１０と追随対象者１とが並走状態となる。
【０１０３】
その後、図１２に示すように、自律移動装置１０と追随対象者１との間に歩道と車道の段差が無い箇所、あるいは予め設定された高さ以下の段差となる箇所に到達すると、自律移動装置１０は自装置の進路変更を行って追随対象者１の後ろの位置に移動する。
【０１０４】
そして、その後は図１３に示すように、追随対象者１の後ろに付いて走行する後追モードによる追随動作を継続する。
【０１０５】
上記の図８〜図１３を参照して説明した例では、追随対象者１が歩道を降りて車道を横断して道路の反対側に移動したり、経路確認のために車道に降りるような場合について説明した。しかし、例えば歩道が混在していて追随対象者１が一旦歩道から車道に降りた場合であっても、追随対象者１が元の歩道に戻ろうとするような場合がある。このような場合に、自律移動装置１が追随対象者１の後を追いかけて車道に出てしまうと、追随対象者１が歩道に戻った場合、自律移動装置１はさらに歩道に戻るような進路変更を行う必要があり、無駄な進路変更を繰り返すことになる。
【０１０６】
そのため、本実施形態の自律移動装置１０では、追随対象者１が特定の状態の場合には、追随対象者が進路変更を行って、自装置と追随対象者１との間に段差が無い場合でも、自装置の進路変更を行わないような制御が行われる。
【０１０７】
このような制御が行われる場合の自律移動装置１０の動作を図１４のフローチャートを参照して説明する。
【０１０８】
なお、図１４に示したフローチャートは、図７にしめしたフローチャートに対してステップＳ２０１の処理が追加されているだけであるため、この追加部分についてのみ説明する。
【０１０９】
追随対象者が進路変更した場合（ステップＳ１０３においてｙｅｓ）、制御部４８は、検出部４１により検出された周囲の形状等の情報に基づいて、追随対象者と自装置との間に所定の高さ以上の段差があるか否かを判定する（ステップＳ１０４）。
【０１１０】
そして、そのような段差が存在しない場合（ステップＳ１０４においてｎｏ）、制御部４８は、追随対象者が特定の状態でなければ（ステップＳ２０１においてｎｏ）、追随対象者の進路と一致するように自装置の進路を変更する（ステップＳ１０６）。
【０１１１】
そして、追随対象者が特定の状態である場合（ステップＳ２０１においてｙｅｓ）、制御部４８は、自装置の進路変更を行わずに現在の進路を維持する。そのため、結果として自律移動装置１０は追随対象者と並走状態となる（ステップＳ１０５）。
【０１１２】
次に、図１５〜図１８を参照して、自律移動装置１０が後追モードにて歩道上を歩いている追随対象者１の後ろを走行している際に、特定の状態の追随対象者１が段差を跨いで車道に降りた場合の動作例について説明する。
【０１１３】
以下の説明では、追随対象者１の特定の状態が、右腕を挙げた状態、又は帽子を逆向きに被った状態である場合を例として用いる。
【０１１４】
歩道上を歩いていた追随対象者１が右手を挙げた状態又は帽子を逆向きに被った状態で車道に降りた場合の様子を図１５に示す。図１５では、特定の状態の追随対象者１が、歩道と車道との間における段差を跨いて歩道から車道に移動して進路変更を行った場合が示されている。
【０１１５】
ここで、本実施形態の自律移動装置１０では、追随対象者１との間に予め設定された高さの段差があることが検出部４１により検出されるため、その段差を通過して追随対象者１の後ろに付くような進路変更を行わないような制御が行われ、図１６に示すように、自律緯度装置１０と追随対象者１とが並走状態となる。
【０１１６】
その後、図１７に示すように、自律移動装置１０と追随対象者１との間に歩道と車道の段差が無い箇所、あるいは予め設定された高さ以下の段差となる箇所に到達した場合であっても、撮像部４２により撮像された画像に基づいて追随対象者１が右腕を挙げた状態、又は帽子を逆向に被った状態であると判定されると、自律移動装置１０では自装置の進路変更を行わずに現在の進路を維持して走行を継続するような制御が行われる。その結果、自律緯度装置１０と追随対象者１とは並走状態のままとなる。
【０１１７】
そして、図１８に示すように、後追随対象者１が元の歩道に戻ると、自律移動装置１０は、追随対象者１の後ろに付いて走行する後追モードによる追随動作を継続する。
【０１１８】
次に、自律移動装置１０が並走状態となっていることを追随対象者１に通知する場合の動作について図１９を参照して説明する。
【０１１９】
本実施形態の自律移動装置１０では、図１９に示すように、自装置と追随対象者１とが並走状態となっている場合に、音声・光発生部４３は、並走状態となっていること示す音又は光を発生する。
【０１２０】
具体的には、音声・光発生部４３は、スピーカ２２から「並走状態です！」という音声を出力させたり、ＬＥＤランプ２１を点灯させて光を出力させることにより、追随対象者１に並走状態となっていることを通知する。
【０１２１】
ただし、一定の音声レベルで音声を出力したとしても周囲の騒音レベルが大きい場合には、スピーカ２２から出力した音声が追随対象者１に届かない場合がある。そのため、音声・光発生部４３は、図２０に示すような音声出力の制御を行って、音声出力を周囲の騒音レベルに応じて変化させる。
【０１２２】
この音声出力の制御例について図２０のフローチャートを参照して説明する。
【０１２３】
自律移動装置１０が追随対象者１に追随して移動している際（ステップＳ３０１）、上記で説明したような条件により追随対象者１と並走状態となった場合（ステップＳ３０２においてｙｅｓ）、音検知部４７により周囲の騒音レベルの測定が行われる（ステップＳ３０３）。
【０１２４】
そして、測定された騒音レベルが予め設定された値、例えば６０（ｄＢ）より小さい場合（ステップＳ３０４においてｎｏ）、音声・光発生部４３は、予め設定された出力レベル、例えば６０（ｄＢ）により音声出力を行う（ステップＳ３０５）。
【０１２５】
なお、測定された騒音レベルが予め設定された値、例えば６０（ｄＢ）以上である場合（ステップＳ３０４においてｙｅｓ）、音声・光発生部４３は、測定された騒音レベルの値に１．１を乗算した出力レベル（ｄＢ）により音声出力を行う（ステップＳ３０６）。
【０１２６】
また、一定の輝度にて光を出力したとしても周囲の照度が大きい場合には、ＬＥＤランプ２１から出力した光が追随対象者１に届かない場合がある。そのため、音声・光発生部４３は、図２１に示すようなＬＥＤランプ２１の点灯制御を行って、出力する光の輝度を周囲の照度に応じて変化させる。
【０１２７】
このＬＥＤランプの点灯制御例について図２１のフローチャートを参照して説明する。
【０１２８】
自律移動装置１０が追随対象者１に追随して移動している際（ステップＳ４０１）、上記で説明したような条件により追随対象者１と並走状態となった場合（ステップＳ４０２においてｙｅｓ）、照度検知部４６により周囲の照度の測定が行われる（ステップＳ４０３）。
【０１２９】
そして、測定された照度が予め設定された値、例えば３００（ルクス）より小さい場合（ステップＳ４０４においてｎｏ）、音声・光発生部４３は、追随対象者１に届いた際の照度が、例えば３００（ルクス）となるような輝度によりＬＥＤランプ２１を点灯させるような制御を行う（ステップＳ４０５）。
【０１３０】
なお、測定された照度が予め設定された値、例えば３００（ルクス）以上である場合（ステップＳ４０４においてｙｅｓ）、音声・光発生部４３は、追随対象者１に届いた際の照度が、例えば８００（ルクス）となるような輝度によりＬＥＤランプ２１を点灯させるような制御を行う（ステップＳ４０５）。
【０１３１】
ここで、本実施形態の自律移動装置１０は、追随対象者との距離を測定しつつ追随対象者との距離が一定の距離となるように追随して走行を行っている。しかし、何らかの理由により、追随対象者との間の距離が予め設定された追随可能距離を超えた場合、自律移動装置１０は、走行を停止してその場に留まるように設定されている。
【０１３２】
このような状態となった場合の自律移動装置１０の動作を図２２のフローチャートを参照して説明する。
【０１３３】
自律移動装置１０では、追随対象者の動作に追随して走行中は、検出部４１により追随対象者との距離を測定している（ステップＳ５０１）。
【０１３４】
そして、測定された追随対象者との距離が追随可能距離以下である場合（ステップＳ５０２においてｙｅｓ）、そのまま追随動作は継続される。
【０１３５】
そして、測定された追随対象者との距離が追随可能距離よりも大きくなった場合（ステップＳ５０２においてｎｏ）、制御部４８は、移動部５０を制御して自律移動装置１０を走行停止状態とする（ステップＳ５０３）。ここで、測定された追随対象者との距離が追随可能距離よりも大きくなった場合とは、例えば、連続して５秒以上継続して測定された追随対象者との距離が追随可能距離よりも大きくなった場合を意味する。
【０１３６】
そして、制御部４８は、図２３に示すように、データ送受信部４９を介して遠隔操作センターのサーバ１２に、自装置が走行停止状態となった旨の連絡を行う（ステップＳ５０４）。この連絡の際に、自律移動装置１０では、ＧＰＳ受信機（不図示）等により得られた自装置の位置情報が遠隔操作センターのサーバ１２に送信される。
【０１３７】
すると、自律移動装置１０からの停止連絡を受信した遠隔操作センターのサーバ１２は、走行停止状態となった自律移動装置１０の位置に最も近い集配センターを選択して、自律移動装置１０に対して選択した集配センターに移動するような移動指示を行う。
【０１３８】
すると、自律移動装置１０では、この遠隔操作センターのサーバ１２からの移動指示を受信すると（ステップＳ５０５）、指示された集配センターに移動するような制御が行われる（ステップＳ５０６）。
【０１３９】
このような一連の処理により、走行停止した自律移動装置１０は、最も近くに位置する集配センターに回収されることになる。
【０１４０】
しかし、追随対象者が歩道上の障害物回避や、車道横断等のために車道に降りて並走状態となった場合、自律移動装置１０と追随対象者との間の距離が一時的に長くなる場合が多いため、並走状態でない通常の状態の場合の追随可能距離を用いて追随可能か否かを判定したのでは自律移動装置１０が走行停止してしまう場合が多くなってしまう可能性がある。
【０１４１】
そこで、本実施形態の自律移動装置１０では、このような走行停止をするか否かの判定基準となる追随可能距離を、並走状態の場合には通常の状態よりも長くなるように設定する。
【０１４２】
例えば、並走状態の場合における追随可能距離を歩道の幅に基づいて算出する場合の一例について図２４を参照して説明する。
【０１４３】
図２４に示した例では、自律移動装置１０が歩道上を走行し、追随対象者１が車道を歩行していることにより並走状態となっているため、自律移動装置１０では、歩道の幅を測定し、追随可能距離を歩道の幅の３倍の値となるように設定する場合が示されている。
【０１４４】
例えば、歩道の幅が１．２ｍの場合には、追随可能距離は、３．６ｍ（１．２ｍ×３）に設定されることになる。
【０１４５】
また、自律移動装置１０では、追随可能距離を歩道の幅に基づいて算出するのではなく、並走状態でない場合の追随可能距離に予め設定された値を乗算して並走状態の場合の追随可能距離として設定するようにしても良い。
【０１４６】
例えば、予め設定された値を３とした場合には、通常の状態における追随可能距離が１ｍの場合には、並走状態における追随可能距離は３ｍ（１ｍ×３）に設定されることになる。
【０１４７】
上記の実施形態では、主として、追随対象者の後ろを自律移動装置１０が付いていく後追モードにより追随動作が行われる場合について説明したが、本発明は、追随対象者の前を自律移動装置１０が走行する先行モードにより追随動作が行われる場合でも同様に適用可能である。
【０１４８】
先行モードでは、図２５に示すように、追随対象者１よりも進行方向の前方を自律移動装置１０が走行している。このような状態で、追随対象者１が車道に降りた場合、自装置の進路を追随対象者１の進路に合わせるためには、自律移動装置１０も車道に降りる必要がある。そのような場合でも、自律移動装置１０は、検出部４１により段差が検出された場合には、進路変更を行わずに、段差が検出されなくなると、進路変更を行って車道に降りることにより追随対象者１の前に出て先行モードによる追随動作を継続する。
【符号の説明】
【０１４９】
１    追随対象者
１０    自律移動装置
１２    サーバ
１４    携帯電話通信網
１５    インターネット
１６    装置本体部
１７    荷台部
１８    移動機構
１９    カメラ
２０    センサ
２１    ＬＥＤランプ
２２    スピーカ
３１    ＣＰＵ
３２    メモリ
３３    記憶装置
３４    無線通信部
３５    制御バス
４１    検出部
４２    撮像部
４３    音声・光発生部
４４    データ記憶部
４５    画像処理部
４６    照度検知部
４７    音検知部
４８    制御部
４９    データ送受信部
５０    移動部
【図１】
2020077144.tif 000003
【図２】
2020077144.tif 000004
【図３】
2020077144.tif 000005
【図４】
2020077144.tif 000006
【図５】
2020077144.tif 000007
【図６】
2020077144.tif 000008
【図７】
2020077144.tif 000009
【図８】
2020077144.tif 000010
【図９】
2020077144.tif 000011
【図１０】
2020077144.tif 000012
【図１１】
2020077144.tif 000013
【図１２】
2020077144.tif 000014
【図１３】
2020077144.tif 000015
【図１４】
2020077144.tif 000016
【図１５】
2020077144.tif 000017
【図１６】
2020077144.tif 000018
【図１７】
2020077144.tif 000019
【図１８】
2020077144.tif 000020
【図１９】
2020077144.tif 000021
【図２０】
2020077144.tif 000022
【図２１】
2020077144.tif 000023
【図２２】
2020077144.tif 000024
【図２３】
2020077144.tif 000025
【図２４】
2020077144.tif 000026
【図２５】
2020077144.tif 000027